(57)【要約】【課題】試料付近に十分な作業スペースを確保し、試料を真上から観察することができる正立顕微鏡を提供する。【解決手段】試料４を載置するステージ５を備える固定部２と、固定部２に対物レンズ保持部材８を介して接続される対物レンズ７と、対物レンズ７を介して試料４を観察する観察光学系（１１）を備え、固定部２と移動機構１２を介して接続される移動部１１とを有し、対物レンズ保持部材８は固定部２との接続部で対物レンズ７の光軸と垂直な軸の周りを回転し、対物レンズ７は対物レンズ保持部材８が回転することによって、試料観察時の対物レンズ７の光軸から退避し、移動部１１は試料観察時の対物レンズ７の光軸から離れる方向に固定部２に対して移動し、試料観察時の対物レンズ７の光軸から退避することを特徴とする。【選択図】図１
2004198996.tif 000002
【特許請求の範囲】
【請求項１】
試料を載置するステージを備える固定部と、
前記固定部に対物レンズ保持部材を介して接続される対物レンズと、
前記対物レンズを介して前記試料を観察する観察光学系を備え、前記固定部と移動機構を介して接続される移動部とを有し、
前記対物レンズ保持部材は、前記固定部との接続部で前記対物レンズの光軸と垂直な軸の周りを回転し、
前記対物レンズは、前記対物レンズ保持部材が回転することによって、前記試料観察時の前記対物レンズの光軸から退避し、
前記移動部は、前記試料観察時の前記対物レンズの光軸から離れる方向に前記固定部に対して移動し、前記試料観察時の前記対物レンズの光軸から退避することを特徴とする正立顕微鏡。
【請求項２】
請求項１に記載の正立顕微鏡において、
前記移動部は、前記固定部に対してスライドして移動することを特徴とする正立顕微鏡。
【請求項３】
請求項１または請求項２に記載の正立顕微鏡において、
前記対物レンズの焦点は、前記対物レンズが移動することによって調整されることを特徴とする正立顕微鏡。
【請求項４】
請求項１または請求項２に記載の正立顕微鏡において、
前記移動部は、蛍光観察または複数の撮像装置を用いた観察を行うための光学系をさらに備えていることを特徴とする正立顕微鏡。
【発明の詳細な説明】
【０００１】
【発明の属する技術分野】
本発明は、正立顕微鏡、特に電気生理実験に好適な正立顕微鏡に関する。
【０００２】
【従来の技術】
一般に、正立顕微鏡においてステージに載置される試料の上方には、対物レンズや鏡筒等の各種部品が配置されているため、試料上方のスペースはこれらに占有され試料を交換する際等の障害となる。
一方、特に電気生理実験に用いられる正立顕微鏡において、試料（培養細胞、組織切片等）や電気生理実験を行うための器具や素子（アース電極やパッチ電極等の電極針、試薬投与用のマイクロチューブ等）のセッティングを行う際には、顕微鏡におけるこれらのセッティング位置付近、即ち試料付近に十分な作業スペースが求められる。これは、損傷を受けやすい試料や電極針を、各種部品と接触して損傷を受けることがないように注意しながらセッティングする必要があるためである。また、電極針やマイクロチューブの先端は、試料付近を上方から肉眼や実体顕微鏡等によって観察しながら試料の目的位置に精度良くセッティングする必要があるためである。
従来、上述の要求に基づいて、顕微鏡において試料付近に作業スペースを確保するための機構が提案されており、例えば対物レンズおよび接眼鏡筒を回動して試料付近から退避させることによって作業スペースを確保する機構を備えた正立顕微鏡が提案されている（特許文献１参照）。
【０００３】
【特許文献１】
特開平９−１７９０３６号公報（第３，４頁，第１，２図）
【０００４】
【発明が解決しようとする課題】
しかしながら、上述の正立顕微鏡では試料付近に確保される有効な作業スペースが小さいという問題がある。このため、試料や器具や素子のセッティングを行う際に観察者はこれらを真上から観察することはできず、斜めから観察しなければならない。したがって、各種部品との接触に注意してセッティングを精度良く行うことは困難である。
また近年の正立顕微鏡には、蛍光観察や複数のカメラを用いた観察を行うために蛍光観察用の光学系や、観察用の光路を複数に分離するための光学系が対物レンズと接眼鏡筒との間に配置される。しかしながら、上述の正立顕微鏡に上記蛍光観察用の光学系等を配置した場合、対物レンズおよび接眼鏡筒と共に上記蛍光観察用の光学系等を回動させることが必要となるが、蛍光観察用の光学系等は複数の光学部材からなるため、これら全体を回動させることは困難である。したがって、蛍光観察のための光学系や複数のカメラを組み込んだ正立顕微鏡においては、蛍光観察用の光学系等を回動することができない。
【０００５】
そこで本発明は上記問題点に鑑みてなされたものであり、試料付近に十分な作業スペースを確保し、かつ試料を真上から観察することができる正立顕微鏡を提供することを目的とする。
【０００６】
【課題を解決するための手段】
上記課題を解決するために請求項１に記載の発明は、
試料を載置するステージを備える固定部と、
前記固定部に対物レンズ保持部材を介して接続される対物レンズと、
前記対物レンズを介して前記試料を観察する観察光学系を備え、前記固定部と移動機構を介して接続される移動部とを有し、
前記対物レンズ保持部材は、前記固定部との接続部で前記対物レンズの光軸と垂直な軸の周りを回転し、
前記対物レンズは、前記対物レンズ保持部材が回転することによって、前記試料観察時の前記対物レンズの光軸から退避し、
前記移動部は、前記試料観察時の前記対物レンズの光軸から離れる方向に前記固定部に対して移動し、前記試料観察時の前記対物レンズの光軸から退避することを特徴とする正立顕微鏡を提供する。
【０００７】
また、請求項２に記載の正立顕微鏡は、
請求項１に記載の正立顕微鏡において、
前記移動部は、前記固定部に対してスライドして移動することを特徴とする。
【０００８】
また、請求項３に記載の正立顕微鏡は、
請求項１または請求項２に記載の正立顕微鏡において、
前記対物レンズの焦点は、前記対物レンズが移動することによって調整されることを特徴とする正立顕微鏡。
【０００９】
また、請求項４に記載の正立顕微鏡は、
請求項１または請求項２に記載の正立顕微鏡において、
前記移動部は、蛍光観察または複数の撮像装置を用いた観察を行うための光学系をさらに備えていることを特徴とする正立顕微鏡。
【００１０】
【発明の実施の形態】
以下、添付図面に基づいて本発明の実施の形態を説明する。
（第１実施形態）
本発明の第１実施形態に係る対物レンズ上下動型正立顕微鏡を図１を参照して説明する。図１は、本発明の第１実施形態に係る対物レンズ上下動型正立顕微鏡の概略構成図（観察状態）である。
図１に示す本実施形態に係る正立顕微鏡１において、顕微鏡本体２のベース部３には、試料４を保持するためのステージ５が固設されている。そして、顕微鏡本体２の支柱部６には、対物レンズ７を保持するための対物レンズ保持部８が後述の跳ね上げ機構２５（図１中には不図示）を介して顕微鏡高さ方向（図中ｚ方向）へ跳ね上げ可能に取り付けられている。また対物レンズ保持部８は、焦準ノブ１０を回転操作することで、不図示の上下動機構を介して顕微鏡本体２に対して上下方向へ移動させることができる。したがって、焦準ノブ１０を回転操作することで、対物レンズ保持部８および対物レンズ７を上下動させることができ、これによって焦準動作がなされる。
【００１１】
顕微鏡本体２の上方には、励起光照射部１１が後述するスライド機構１２を介して顕微鏡奥行き方向（図中ｙ方向）へスライド可能に取り付けられている。この励起光照射部１１の内部には、フィルタ交換のための回転ターレット、複数のレンズ、絞り等（不図示）が配置されている。また励起光照射部１１には、蛍光観察を行うための励起光を発する水銀ランプ９と、撮像装置１３と接眼レンズ１４を有する三眼鏡筒１５とが取り付けられており、水銀ランプ９からの励起光を試料４へ導く励起光照射光路１６、および試料４からの光を三眼鏡筒１５へ導く観察光路１７が形成されている。
以上の構成により、水銀ランプ９から発せられた励起光を、励起光照射光路１１を介して対物レンズ７へ導き、該対物レンズ７を介してステージ５上の試料４へ照射することができる。そして、試料４からの光を対物レンズ７と励起光照射部１１を介して三眼鏡筒１５へ導き、撮像装置１３によって試料４の像を蛍光観察することができる。
【００１２】
一方、顕微鏡本体２の内部には、不図示の透過照明用光源が配置されている。この透過照明用光源からの透過照明光を、ステージ５下方の透過照明部１８から射出させることでステージ５上の試料４を透過照明することができる。そして、試料４を透過した透過光を、対物レンズ７と励起光照射部１１を介して三眼鏡筒１５へ導き、接眼レンズ１４または撮像装置１３によって試料４の透過像を目視観察することができる。
【００１３】
次に、本実施形態において最も特徴的な構成であるスライド機構１２と跳ね上げ機構２５について説明する。
図２，３は、本実施形態におけるスライド機構１２を説明する図である。尚、図３は、具体的な構成を説明するためにスライド機構１２部分を上方から透かして示した図である。上述のように、顕微鏡本体２と励起光照射部１１との間にはスライド機構１２が設けられており、図２に示すように励起光照射部１１を顕微鏡本体２に対してｙ方向へスライドさせることができる。このスライド機構１２は、図３に示すようにいわゆるクロスローラを採用しており、励起光照射部下面１１ａにクロスローラ１９ａ，１９ｂ、顕微鏡本体上面２ａにクロスローラガイド２０ａ，２０ｂがそれぞれ設けられている。そして、クロスローラ１９ａ，１９ｂはそれぞれローラ長手方向、即ちｙ方向へ摺動可能にクロスローラガイド２０ａ，２０ｂに狭持されている。斯かる構成によって励起光照射部１１のｙ方向へのスライドが可能となる。
【００１４】
また、励起光照射部下面１１ａにはストッパ２１ａ，２１ｂ、顕微鏡本体上面２ａにはストッパ２２がそれぞれ設けられている。これにより、励起光照射部１１のスライド時にストッパ２１ａ（２１ｂ）とストッパ２２とが当接することで、励起光照射部１１のスライドストロークを規制することができる。
さらに、励起光照射部下面１１ａには芯出しピン２３、顕微鏡本体上面２ａには芯出しピン受け２４がそれぞれ設けられている。これらの芯出しピン２３と芯出しピン受け２４とは、励起光照射部１１をスライドさせる前の状態、即ち励起光照射部１１が観察位置にあるときに合致するように設けられている。これにより、励起光照射部１１をｙ方向へスライドさせた後、再び励起光照射部１１をスライドさせて元の観察位置へ復帰させる際に、芯出しピン２３と芯出しピン受け２４とを合致させることによって観察位置の再現性を保証することができる。
【００１５】
以上のスライド機構１２の構成により、励起光照射部１１を顕微鏡本体２に対してｙ方向へスライドさせることができる。これにより、励起光照射部１１および三眼鏡筒１５を一体的に試料４の上方から退避させることができる。さらに、試料４の上方より退避させた励起光照射部１１および三眼鏡筒１５は、元の観察位置へ復帰させることができる。
尚、上述のように本実施形態では、励起光照射部１１をｙ方向へスライドさせる構成である。しかしスライドの方向はこれに限られず、励起光照射部１１を顕微鏡左右方向（図中ｘ方向）へスライドさせる構成とすることもできる。
また、上述のように本実施形態では、スライド機構１２としてクロスローラを採用しているが、スライドの方法はこれに限られるものではない。
さらにこのスライド機構１２は、スライドに伴う試料４への振動を配慮した構造とすることが望ましい。
【００１６】
図４は、本実施形態における跳ね上げ機構２５を説明する図である。上述のように、顕微鏡本体２における支柱部６の上端部分には、対物レンズ７を保持するための対物レンズ保持部８が跳ね上げ機構２５を介して取り付けられており、図４に示すように対物レンズ保持部８を上方へ跳ね上げることができる。この跳ね上げ機構２５は、具体的にはいわゆる蝶番を採用しており、対物レンズ保持部８は、支柱部６の上端部分にピン２６を介して回動可能に取り付けられている。さらにこの跳ね上げ機構２５は、跳ね上げに伴う試料４への振動を配慮した構造とすることがより望ましい。
【００１７】
以上の跳ね上げ機構２５の構成により、対物レンズ保持部８を支柱部６のピン２６を介して上方へ回動させる（跳ね上げる）ことができる。これにより、対物レンズ保持部８および対物レンズ７を一体的にステージ５上の試料４の上方付近より退避させることができる。さらに、試料４の上方付近より退避させた対物レンズ保持部８および対物レンズ７は、対物レンズ保持部８を下方へ回動させることで元の観察位置へ復帰させることができる。
励起光照射部１１をスライドさせ、対物レンズ保持部８および対物レンズ７をステージ５上の試料４の上方付近から退避させることによって、試料４の上方に空間ができ、試料４を真上から観察することができる。
【００１８】
図５は、本実施形態に係る対物レンズ上下動型正立顕微鏡において、励起光照射部１１および対物レンズ保持部８を試料４上方より退避させた状態（退避状態）を示す概略構成図である。
上述のように、スライド機構１２によって励起光照射部１１および三眼鏡筒１５を試料４の上方から一体的に退避させることができる。これにより、対物レンズ保持部８の上方に、該対物レンズ保持部８を跳ね上げ退避するための空間が確保される。このため、跳ね上げ機構２５によって対物レンズ保持部８および対物レンズ７を試料４の上方付近から一体的に跳ね上げて退避させることができる。これにより、対物レンズ７、対物レンズ保持部８、励起光照射部１１、三眼鏡筒１５、および撮像装置１３を全て試料４の上方から退避させることができる。このようにして本実施形態に係る正立顕微鏡では、図５に示すように、試料４を真上から目視観察できる十分に大きな作業スペースを確保することができる。尚、「真上」は、詳細には観察状態における対物レンズ７の光軸上を指す。
さらに、励起光照射部１１および対物レンズ保持部８はそれぞれ退避前の観察位置へ復帰させることができるため、試料４の上方から退避させた対物レンズ７、対物レンズ保持部８、励起光照射部１１、三眼鏡筒１５、および撮像装置１３を全て観察位置へ復帰させ、本実施形態に係る正立顕微鏡の観察状態を復帰させることができる。
【００１９】
本実施形態に係る正立顕微鏡は、スライド機構１２によって励起光照射部１１、三眼鏡筒１５、および撮像装置１３をこれらの相対的な位置を変えることなく一体的にスライドさせることができる。このため、光学性能を低下させることなく安定した退避および復帰を行うことができる。
また、本実施形態に係る正立顕微鏡は、回動部分が対物レンズ保持部８および対物レンズ７のみで軽量であるため、跳ね上げ機構２５への負担を小さくできる。
【００２０】
次に、本実施形態に係る正立顕微鏡を電気生理実験に用いる場合について説明する。図６は、本実施形態に係る正立顕微鏡に、電気生理実験を行うためのマニュピレータをセッティングした図である。図６に示すように、培養細胞や組織切片等の試料４を可能な限り生きたままの状態で観察を行うため、ステージ５上には保温プレート２７が配置され、試料４には溶液交換のためのマイクロチューブ２８が導かれている。また試料４には、該試料４に摂動を加えて観察を行うためのアース電極やパッチ電極等の複数の電極針２９が導かれている。
上述のように本実施形態に係る正立顕微鏡は、スライド機構１２および跳ね上げ機構２５によって十分に大きな作業スペースを確保することで、試料４を真上から目視観察しながら、電気生理実験を行うための上記各マニュピレータをセッティングすることができる。このため、試料４や電極針２９を顕微鏡の各種部品との接触によって損傷させることなく、電極針２９やマイクロチューブ２８の先端を試料４の目的位置に精度良くセッティングすることができる。
【００２１】
（第２実施形態）
本発明の第２実施形態に係るステージ上下動型正立顕微鏡を図７を参照して説明する。図７は、本発明の第２実施形態に係るステージ上下動型正立顕微鏡の概略構成図（退避状態）である。
本実施形態に係るステージ上下動型正立顕微鏡３０は、上記第１実施形態において述べたスライド機構１２および跳ね上げ機構２５を適用したステージ上下動型正立顕微鏡である。以下の各実施形態において、上記第１実施形態に係る対物レンズ上下動型正立顕微鏡と同様の構成である部分には同じ符号を付して重複する説明を省略し、特徴的な部分について詳細に説明する。
【００２２】
図７に示す本実施形態に係る正立顕微鏡３０において、支柱部３１の上端部分に跳ね上げ機構２５を介して上方へ跳ね上げ可能に取り付けられた対物レンズ保持部８は観察状態においてその位置が固定である。
また支柱部３１の下方には、試料４を保持するためのステージ３２が取り付けられている。このステージ３２は、焦準ノブ３３を回転操作することで、不図示の上下動機構を介して支柱部３１に対して上下動させることができる。したがって、焦準ノブ３３を回転操作することで、試料４をステージ３２と一体的に上下動させることができ、これによって焦準動作がなされる。
【００２３】
斯かる構成の本実施形態に係るステージ上下動型正立顕微鏡３０は、上記第１実施形態と同様、スライド機構１２および跳ね上げ機構２５によって十分に大きな作業スペースを確保することができ、上記第１実施形態の奏する効果と同様の効果を奏することができる。
【００２４】
（第３実施形態）
本発明の第３実施形態に係る対物レンズ上下動型正立顕微鏡を図８を参照して説明する。図８は、本発明の第３実施形態に係る対物レンズ上下動型正立顕微鏡の概略構成図（退避状態）である。
近年、生物観察の分野では、近赤外領域に感度を有するカメラや共焦点観察装置等の様々な撮像装置が開発・利用されている。また、複数の撮像装置を利用して１つの試料を観察することも日常的に行われている。これらは、電気生理実験を行う場合でも同様である。本実施形態に係る正立顕微鏡３４は、複数の撮像装置による観察を可能とした対物レンズ上下動型正立顕微鏡である。
【００２５】
図８に示すように本実施形態に係る正立顕微鏡３４は、励起光照射部１１と三眼鏡筒１５との間にダブルポート部３５が配置されている。このダブルポート部３５には、撮像装置３６が取り付けられており、試料４からの光を三眼鏡筒１５および撮像装置３６へそれぞれ導く観察光路３７が形成されている。ここでダブルポート部３５の内部には、ズームを行うための複数のレンズ、フィルタ等（不図示）が配置されており、撮像装置１３と撮像装置３６とでは試料４について異なる情報を観察することができるように構成されている。尚、本実施形態では撮像装置３６として撮像装置１３と同様のものを配置し、撮像装置１３では上述した蛍光観察を行い、撮像装置３６では撮像装置１３の蛍光観察と波長の異なる蛍光観察を行うことができる。
ここで、撮像装置１３と撮像装置３６は異なる種類のものどうしでもよく、撮像装置の種類やダブルポート部３５内の構成によって、例えば蛍光観察と赤外微分干渉観察等のように観察方法の組み合わせは、本実施形態の蛍光観察どうしに限られるものではない。
【００２６】
また、本実施形態に係る正立顕微鏡３４において、スライド機構１２および跳ね上げ機構２５は上記第１実施形態と同様に設けられている。したがって、スライド機構１２の構成により、励起光照射部１１を顕微鏡本体２に対してｙ方向へスライドさせることで、励起光照射部１１および三眼鏡筒１５、およびダブルポート部３５を一体的に試料４の上方より退避させることができる。さらに、試料４の上方より退避させた励起光照射部１１および三眼鏡筒１５、およびダブルポート部３５は、元の観察位置へ復帰させることができる。
【００２７】
斯かる構成の本実施形態に係る正立顕微鏡は、上記第１実施形態と同様、スライド機構１２および跳ね上げ機構２５によって十分に大きな作業スペースを確保することができ、上記第１実施形態の奏する効果と同様の効果を奏することができる。
また、本実施形態に係る正立顕微鏡は、上述した２つの撮像装置１３，３６によって、試料４について２つの異なる情報を観察することができる。
尚、配置する撮像装置の数は２つに限られるものでなく、２つ以上の撮像装置を配置して試料４について２つ以上の異なる情報を観察する構成とすることもできる。この場合、ダブルポート部等のビームスプリッタモジュールなど何段重なってもスライドなので退避できる。また、２つ以上の撮像装置の配置のために、励起光照射部１１に新たにポート部や鏡筒を重ねて配置した場合でも、スライド機構１２によってこれらを一体的にスライドさせることができる。
【００２８】
尚、上記各実施形態に係る正立顕微鏡は、蛍光観察を行うために水銀ランプと励起光照射部を備え、該励起光照射部と顕微鏡本体との間にスライド機構を設けている。しかし本発明はこれに限られず、蛍光観察を必要せず、透過照明による観察のみを行う正立顕微鏡に適用することも可能である。斯かる場合、上記実施形態と同様のスライド機構を、三眼鏡筒と顕微鏡本体との間に設け、該三眼鏡筒を顕微鏡本体に対して顕微鏡奥行き方向へスライドさせる構成とする。これにより、試料上方に位置する三眼鏡筒および撮像装置を一体的に退避させることができる。これにより、対物レンズ保持部を跳ね上げるための空間を確保できるため、対物レンズ保持部を跳ね上げることで、上記実施形態と同様に十分な作業スペースを確保することができる。
【００２９】
また、斯かる透過照明による観察のみを行う正立顕微鏡では、三眼鏡筒のスライド方向は顕微鏡奥行き方向に限られず、顕微鏡高さ方向へスライドさせる構成とすることもできる。これにより、三眼鏡筒および撮像装置を一体的に試料上方へ退避させ、対物レンズ保持部を跳ね上げるための空間を確保することができる。尚、対物レンズから三眼鏡筒へ向かって射出される光は平行光であるため、三眼鏡筒を上下にスライドさせるためのスライド機構に求められる観察位置の再現性は顕微鏡奥行き方向へのスライド機構に求められるものよりもゆるいものとなる。
【００３０】
また、透過照明による観察のみを行う正立顕微鏡において、三眼鏡筒と顕微鏡本体との間に上記第３実施形態におけるダブルポート部を配置する。そして、このダブルポート部と顕微鏡本体との間にスライド機構を設け、ダブルポート部を顕微鏡本体に対して顕微鏡奥行き方向へスライドさせる構成とすることもできる。この構成により、複数の撮像装置を設置することができ、配置した複数の撮像装置で試料を観察することができる。
【００３１】
尚、本実施形態で述べた跳ね上げ機構およびスライド機構は、試料中の光開裂化合物（例えば、ケイジド化合物等）の開裂のため、または光異性化化合物（例えば、光照射によって異性化され、吸収、蛍光波長が変化する光活性型蛍光蛋白質等）の反応開始のためにレーザスポットや微細パターン像を対物レンズを介して試料に照射する装置等にも適用することができる。斯かる装置においても、電気生理実験に用いる正立顕微鏡と同様、試料や周辺機器（熱伝対等を含む測定用電極、溶液還流のためのチューブ、温度や湿度制御のためのチャンバ等）をセッティングする際に対物レンズが障害となる。このため、スライド機構および跳ね上げ機構によって十分に大きな作業スペースを確保することで、試料を真上から目視観察しながら、上記周辺機器をセッティングすることができる。
【００３２】
また、本実施形態で述べた跳ね上げ機構およびスライド機構は、微小針によるナノメートル計測を行う原子間力顕微鏡やトンネル顕微鏡（フォトントンネル顕微鏡等も含む）等のいわゆるプローブ顕微鏡を光学顕微鏡のステージ上に設置して構成される併用装置等にも適用することができる。斯かる併用装置において、ステージへ試料を載置した後、試料の目的位置に微小針の先端を配置する必要がある。この微小針は、非常に損傷を受けやすいものであるため、不用意に試料に触れることによって先端を破壊しかねない。また、ふつう微小針の可動範囲は限られているため、手動によって試料近傍まで近づけなければならない。
したがって、微小針顕微鏡を光学顕微鏡のステージ上に設置する際、および試料の目的位置に微小針の先端を配置する際に、光学顕微鏡の対物レンズが障害となる。このため、スライド機構および跳ね上げ機構によって十分に大きな作業スペースを確保することで、微小針顕微鏡を簡便に光学顕微鏡のステージ上へ設置することができ、微小針の損傷に注意して試料の目的位置に先端を配置することができる。
【００３３】
【発明の効果】
本発明によれば、試料付近に十分な作業スペースを確保し、試料を真上から観察することができる正立顕微鏡を提供することができる。
【図面の簡単な説明】
【図１】本発明の第１実施形態に係る対物レンズ上下動型正立顕微鏡の概略構成図（観察状態）である。
【図２】本発明の第１実施形態におけるスライド機構１２を説明する図である。
【図３】本発明の第１実施形態におけるスライド機構１２を説明する上方透かし図である。
【図４】本発明の第１実施形態における跳ね上げ機構２５を説明する図である。
【図５】本発明の第１実施形態に係る対物レンズ上下動型正立顕微鏡の概略構成図（退避状態）である。
【図６】本発明の第１実施形態に係る正立顕微鏡に、電気生理実験を行うためのマニュピレータをセッティングした図である。
【図７】本発明の第２実施形態に係るステージ上下動型正立顕微鏡の概略構成図（退避状態）である。
【図８】本発明の第３実施形態に係る対物レンズ上下動型正立顕微鏡の概略構成図（退避状態）である。
【符号の説明】
２          顕微鏡本体
４          試料
５          ステージ
６，３１    支柱部
７          対物レンズ
８          対物レンズ保持部
９          水銀ランプ
１１        励起光照射部
１２        スライド機構
１３，３６  撮像装置
１５        三眼鏡筒
１８        透過照明部
２５        跳ね上げ機構
３５        ダブルポート部
【図１】
2004198996.tif 000003
【図２】
2004198996.tif 000004
【図３】
2004198996.tif 000005
【図４】
2004198996.tif 000006
【図５】
2004198996.tif 000007
【図６】
2004198996.tif 000008
【図７】
2004198996.tif 000009
【図８】
2004198996.tif 000010